(57)【要約】      （修正有）【課題】意匠性に優れ、安価で汎用性があり、施工性のよい目地材又は見切材を提供する。【解決手段】コンクリート建築物のコンクリートＣ間を所定の間隔で隙間をあける目地部に施工する目地材Ｍ１又は、コンクリートＣと砂利等との区分けをする境界線等に配置する見切材において、主柱部１と、主柱部１を保持する保持部２と、保持部２に固着され少なくとも２つ以上の自然石を連ねて配置する化粧部３と、を有することにより、意匠性に優れ、安価で汎用性があり、施工性のよい目地材又は見切材を提供することができる。【選択図】図３
0003207014.tif 000002
【実用新案登録請求の範囲】
【請求項１】
コンクリート建築物のコンクリート間を所定の間隔で隙間をあける目地部に施工する目地材又は、コンクリートと砂利等との区分けをする境界線等に施工する見切材において、
主柱部（１，１１，２１）と、
前記主柱部を保持する保持部（２，１２，２２）と、
前記保持部に固着され少なくとも２つ以上の自然石を連ねて配置する化粧部（３，２３）と、を有し、
前記目地部又は、前記境界線等に配置されることを特徴とする目地材又は見切材。
【請求項２】
前記主柱は、発泡材にて直方体に形成し、該主柱の側面に柔軟性を調節する柔軟性調節部１３を有することを特徴とする請求項１に記載の目地材又は見切材。
【請求項３】
前記主柱の柔軟性調節部は、短手方向にスリット１４を設けてなることを特徴とする請求項２に記載の目地材又は見切材。
【請求項４】
前記主柱の柔軟性調節部の柔軟性は、前記スリットの数、前記スリットの幅及び前記各スリット間の間隔により調節することを特徴とする請求項３に記載の目地材又は見切材。
【請求項５】
前記化粧部間に、緩衝材２４を介在させたことを特徴とする請求項１に記載の目地材又は見切材。
【考案の詳細な説明】
【技術分野】
【０００１】  本考案は、コンクリート建築物のコンクリート間を所定の間隔で隙間をあける目地部に施工する目地材又は、コンクリートと砂利等との区分けをする境界線等に施工する見切材に関する。
【背景技術】
【０００２】  従来、コンクリート建築物では、コンクリートに発生するひび割れを意図した箇所に誘導するため、ひび割れ誘発目地材が施工される。
目地材は、用途によって、種々の提案がなされている。
特許文献１には、目地材本体の上部に補強キャップが付いていない一般的な目地材が記載されている。
また、特許文献２には、目地材本体の上部に補強キャップ（板状支持体）が付いている目地材が記載されている。
しかし、特許文献１及び特許文献２の目地材では、目地材本体の上部に補強キャップの有無に関わらず化粧部がなく、これらの目地材を施工した部分の前記目地部には、ただの線にしかならないため、意匠性が極めて悪かった。【０００３】  一方、図１０の如く、コンクリートと砂利等との区分けをする境界線には、一般的に意匠性の観点から、境界線に沿って、コンクリートブロック（通称ピンコロ）や石材等のいわゆる見切材を敷き詰めている。
しかし、コンクリートブロックや石材は、個々のサイズは大きくすることができないため、設置する距離が長い場合、大量に必要となっていた。これらコンクリートブロックや石材は、高価であるため大量に必要な場合は、コストが非常にかかるという問題があった。また、コンクリートブロックや石材を敷き詰める作業は、非常に工数がかかり、施工性が悪いという問題もあった。
【先行技術文献】
【特許文献】
【０００４】
【特許文献１】特開平７−２２９２７９号公報
【特許文献２】特開平５−４４３３１号公報
【考案の概要】
【考案が解決しようとする課題】
【０００５】  本考案は、上述の問題を解決するものであり、意匠性に優れ、安価で、汎用性もあり、施工性のよい目地材又は見切材を提供するものである。
【課題を解決するための手段】
【０００６】  本考案の目地材又は見切材は、主柱部と、前記主柱部を保持する保持部と、前記保持部に固着され少なくとも２つ以上の自然石を連ねて配置する化粧部と、を有し、前記目地部又は、前記境界線等に配置されることを特徴としている。【０００７】  また、前記主柱は、発泡材にて直方体に形成し、該主柱の側面に柔軟性を調節する柔軟性調節部を有することを特徴としている。【０００８】  さらに、前記主柱の柔軟性調節部は、短手方向にスリットを設けてなることを特徴としている。【０００９】  また、前記主柱の柔軟性調節部の柔軟性は、前記スリットの数、前記スリットの幅及び前記各スリット間の間隔により調節することを特徴としている。【００１０】  さらに、前記化粧部間に、緩衝材を介在させたことを特徴としている。
【考案の効果】
【００１１】  本考案の目地材又は見切材は、主柱部と、前記主柱部を保持する保持部と、前記保持部に固着され少なくとも２つ以上の自然石を連ねて配置する化粧部と、を有し、前記目地部又は、前記境界線等に配置されることにより、従来の目地材又は見切材と比較し、化粧部を自然石で構成するため、意匠性に優れている。【００１２】  また、発泡材にて直方体に形成し、該主柱の側面に柔軟性を調節する柔軟性調節部を有することにより、主柱に柔軟性を持たせるとともに、その柔軟性を調節することができ、前記目地部が曲線であっても自由に配置することができ、汎用性があり、施工性もよい。【００１３】  さらに、前記主柱の柔軟性調節部は、短手方向にスリットを設けてなることにより、簡単な方法で柔軟性調節部を構成することができる。【００１４】  また、前記主柱の柔軟性調節部の柔軟性は、前記スリットの数、前記スリットの幅及び前記各スリット間の間隔により調節することにより、柔軟性をより簡単に、より詳細に調節することができる。【００１５】  さらに、前記化粧部間に、緩衝材を介在させたことにより、コンクリートの収縮を前記緩衝材が吸収し、前記化粧部の負荷を低減させることができる。
【図面の簡単な説明】
【００１６】
【図１】  第一の実施形態の目地材又は見切材を示す正面図
【図２】  第一の実施形態の目地材又は見切材を示す斜視図
【図３】  一般的な目地材及び第一の実施の形態の使用状態を示す説明図
【図４】  第二の実施形態の目地材又は見切材を示す正面図
【図５】  第二の実施形態の目地材又は見切材を示す斜視図及び一部を拡大した拡大側面図
【図６】  第二の実施形態の目地材又は見切材を曲線状にした斜視図
【図７】  第二の実施形態の目地材又は見切材の使用状態を示す説明図
【図８】  第三の実施形態の目地材又は見切材を示す平面図
【図９】  第三の実施形態の目地材又は見切材を示す正面図
【図１０】  コンクリートブロックを使用した一般的な使用状態を示す説明図
【考案を実施するための形態】
【００１７】  以下、本考案を実施するための最良の形態を、図面を参照して説明する。
図１及び図２は、第一の実施の形態の目地材を示す正面図及び斜視図である。
図１及び図２の如く、目地材又は見切材Ｍ１は、主柱１、保持部２及び化粧部３で構成されている。目地材又は見切材Ｍ１は、以降、省略して名称を目地材Ｍ１とする。
【００１８】  図１及び図２の如く、前記主柱１は、直方体をなし、発泡材で形成されている。本実施の形態では、前記主柱１の奥行き方向（図２参照）の長さを１ｍとしているが、長さもこれに限定されるものではない。
【００１９】  前記保持部２は、合成樹脂製で樋状をなし、前記主柱１の図中上部を囲うように嵌合している。該保持部２は、前記主柱１に固着しているわけではなく、図２の矢印方向に移動自在となっている。該保持部２は、柔軟性のある前記主柱１を保持することにより、後述する前記化粧部３の固着をより安定させることができる。また、該保持部２は、前記主柱１と同程度の長さに形成されている。
【００２０】  前記化粧部３は、自然石（天然石）を略正方形に加工し、前記保持部２の図中上面に連なって固着されている。該化粧部３の前記保持部２への固着方法は、接着剤による接着でもよいし、両面テープ等による接着でもよい。本実施の形態の化粧部３は、１辺を約５０ｍｍ程度とし、厚みを１０ｍｍ程度にしているが、大きさはこれに限定されるものではない。
【００２１】  すなわち、前記化粧部３を上述した大きさ位にすると、コストも安くすることができる上、重量も重くならないため、施工が簡単になる。また、該化粧部３は、複数の自然石を前記保持部２の図中上面に連なって固着しているため、コンクリートブロック（ピンコロ）をひとつひとつ並べていくような施工よりも、格段に施工が簡単になる。なお、化粧部３の形状は、正方形に限定されるものではなく、長方形でもよいし、円形でもよい。
【００２２】  図３は、前記目地材Ｍ１の使用状態を示す説明図である。図３（ａ）は、コンクリートＣを埋めた駐車場Ｐの一部に一般的な目地材Ｍを使用している図である。仮想線で示されているのは、前記駐車場Ｐに駐車した場合の車Ｃａである。図３（ｂ）は、コンクリートＣを埋めた駐車場Ｐ１の一部に本実施の形態の目地材Ｍ１を使用している図である。図３（ｃ）は、図３（ｂ）のＡ−Ａ´の断面図である。図３（ｃ）の如く、前記目地材Ｍ１は、前記主柱１の下方をモルタルで固定して施工される。本実施の形態では前記目地材Ｍ１の前記化粧部３の上面高さは、前記コンクリートの上面と一致させているが、これに限定されるものではなく、コンクリートの上面よりも、前記化粧部３をあえて高くしたり、低くしてもよい。
【００２３】  図３（ａ）の如く、駐車場Ｐに一般的な目地材を施工した場合、特に化粧部を設けていないため、ただ線があるだけのものに見えて意匠性が悪い。最近では、色をつけた目地材もあるが、これでも意匠性が優れているとは言えない。
一方、図３（ｂ）の如く、前記目地材Ｍ１は、前記化粧部３を有しているため、一般的な目地材とは異なり、意匠性に優れている。本実施の形態の目地材Ｍ１は、図３（ｂ）に示すような直線的な目地部に施工される。
【００２４】  図４ないし図６は、第二の実施の形態の目地材を示す正面図、説明図及び斜視図である。図４ないし図６の如く、目地材又は見切材Ｍ２は、主柱１１、保持部１２及び化粧部３で構成されている。目地材又は見切材Ｍ２は、以降、省略して名称を目地材Ｍ２とする。
【００２５】  前記主柱１１は、直方体をなし、発泡材で形成されている。
図５及び図６の如く、該主柱１１の側面には、柔軟性を調節する柔軟性調節部１３である複数のスリット１４を設けている。該スリット１４は、短手方向（図５図中上下方向）に形成している。
【００２６】  前記スリット１４の数、幅、各スリットの間隔によって、前記主柱１１の柔軟性を調節することができる。このように、前記主柱１１の柔軟性調節部１３を設けることにより、第一の実施の形態のように、直線的な目地部のみならず、様々な形状、例えば、図６の如く、目地材Ｍ２を曲線に形成することも可能である。すなわち、本実施の形態の目地材Ｍ２は、図７の如く、曲線状に形成された目地部またはコンクリートと砂利等との区分けをする境界線に施工するのに適している。なお、本実施の形態では、区分けをコンクリートと砂利としているが、これに限定されるものではない。見切材は、区分けをできればよいため、例えば、芝と砂利との区分けであったり、違う砂利同士を区分けたり、土と直物を植えている場所を区分けたり、樹木の周りを囲って区分けたりする場所であってもよい。
【００２７】  図５の如く、前記柔軟性調節部１３は、前記スリット１４の数を増やしたり、該スリット１４の幅を広げたり、各スリットの間隔を狭めることにより、より柔軟性が増大し、前記スリット１４の数を減らしたり、該スリット１４の幅を縮めたり、各スリットの間隔を広げることにより、より柔軟性が低減するようにしている。なお、本実施の形態では、前記スリット１４の幅を５ｍｍ、凹み５ｍｍ、各スリットの間隔を５０ｍｍとしている。前記主柱１１の奥行き方向（図５拡大側面図参照、但し図５の主柱は全長を記載しているのではなく一部を省略して記載している）の長さを１ｍとしているが、長さもこれに限定されるものではない。
【００２８】  前記保持部１２は、合成樹脂製で樋状をなし、前記主柱１１の図中上部を囲うように嵌合している。該保持部１２は、前記主柱１１に固着しているわけではなく、図５の矢印方向に移動自在となっている。該保持部１２は、柔軟性のある前記主柱１１を保持することにより、後述する前記化粧部３の固着をより安定させることができる。また、該保持部１２は、前記化粧部３と同程度の長さに形成されている。
【００２９】  前記化粧部３は、第一の実施の形態と同じであるため、説明を省略する。このように、本実施の形態の目地材Ｍ２は、図７の如く、前記主柱１１の柔軟性調節部１３により、曲線状のコンクリートと砂利との境界線に施工するのに適している。
【００３０】  図８及び図９は、第三の実施の形態の目地材又は見切材Ｍ３を示す平面図（一部のみ）及び正面図である。目地材又は見切材Ｍ３は、以降、省略して名称を目地材Ｍ３とする。図８及び図９の如く、前記目地材Ｍ３は、主柱２１、保持部２２及び化粧部２３を有し、前記化粧部２３は第一または第二の実施形態とは異なり、化粧部２３のほぼ中央に緩衝材２４を設けて構成されている。
【００３１】  前記緩衝材２４は、材質をポリエチレン樹脂としている。ところで、目地材はコンクリート間に配置する場合、コンクリートは収縮するため、化粧部かコンクリート間に挟まれていると、化粧部は該コンクリートの膨張により圧縮方向の力を受ける場合がある。その際、図８及び図９のように、化粧部２３間に前記緩衝材２４を介在させていると、この緩衝材２４が化粧部２３の圧縮を吸収するため、化粧部２３にかかる余計な負荷を低減させることができる。
【００３２】  前記主柱２１は、前記第一の実施の形態と同じであるため、説明を省略する。
【００３３】  前記保持部２２は、前記主柱２１を保持する性能は前記第一の実施の形態と同じであるが、本実施の形態の保持部２２は、前記主柱２１を保持するのと同様に、前記化粧部２３も保持ができるように図９の上方にも左右に側板を有している。この左右にある側板により前記化粧部２３を保持することができる。
【符号の説明】
【００３４】１，１１，２１  主柱
２，１２，２２  保持部
３，２３        化粧部
１３            柔軟性調節部
１４            スリット
２４            緩衝材
【図１】
0003207014.tif 000003
【図２】
0003207014.tif 000004
【図３】
0003207014.tif 000005
【図４】
0003207014.tif 000006
【図５】
0003207014.tif 000007
【図６】
0003207014.tif 000008
【図７】
0003207014.tif 000009
【図８】
0003207014.tif 000010
【図９】
0003207014.tif 000011
【図１０】
0003207014.tif 000012
【手続補正書】
【提出日】平成28年7月25日(2016.7.25)
【手続補正１】
【補正対象書類名】実用新案登録請求の範囲
【補正対象項目名】全文
【補正方法】変更
【補正の内容】
【実用新案登録請求の範囲】
【請求項１】
コンクリート建築物のコンクリート間を所定の間隔で隙間をあける目地部に施工する目地材又は、コンクリートと砂利との区分けをする境界線に施工する見切材において、
主柱部（１，１１，２１）と、
前記主柱部を保持する保持部（２，１２，２２）と、
前記保持部に固着され少なくとも２つ以上の自然石を連ねて配置する化粧部（３，２３）と、を有し、
前記目地部又は、前記境界線に配置されることを特徴とする目地材又は見切材。
【請求項２】
前記主柱部は、発泡材にて直方体に形成し、該主柱部の側面に柔軟性を調節する柔軟性調節部１３を有することを特徴とする請求項１に記載の目地材又は見切材。
【請求項３】
前記主柱部の柔軟性調節部は、短手方向にスリット１４を設けてなることを特徴とする請求項２に記載の目地材又は見切材。
【請求項４】
前記主柱部の柔軟性調節部の柔軟性は、前記スリットの数、前記スリットの幅及び前記各スリット間の間隔により調節することを特徴とする請求項３に記載の目地材又は見切材。
【請求項５】
前記化粧部間に、緩衝材２４を介在させたことを特徴とする請求項１に記載の目地材又は見切材。